(57)【要約】      （修正有）【課題】頭部のサイズが小さい場合でも、帽子の左右の両側頭部側の下辺が耳の付根に当たることがなく、快適に着用することができる帽子を提供する。【解決手段】クラウンとクラウンの前側の下辺に備えられたブリムとクラウンの後頭部側の下方に備えた頭囲調整ベルトとからなる帽子において、クラウンの左右の両側頭部側の下辺部分に、カーブ部がクラウンの上方に向かって抉るように形成され、帽子本体を頭部に着用したときに耳の上部の付根とカーブ部との間にゆとりが生じるように構成した。【選択図】図１
0003214083.tif 000002
【実用新案登録請求の範囲】
【請求項１】
クラウンとクラウンの前側の下辺に備えられたブリムとクラウンの後頭部側の下方に備えた頭囲調整ベルトとからなる帽子において、クラウンの左右の両側頭部側の下辺部分に、カーブ部がクラウンの上方に向かって抉るように形成され、帽子本体を頭部に着用したときに耳の上部の付根とカーブ部との間にゆとりが生じるように構成したことを特徴とする帽子。
【請求項２】
クラウンは、その全体あるいは一部が通気性を有するメッシュ生地で形成されていることを特徴とする請求項１に記載の帽子。
【考案の詳細な説明】
【技術分野】
【０００１】  本考案は、着用者の各人各様の異なる頭部のサイズに幅広く対応することのできる帽子に関する。
【背景技術】
【０００２】  従来、図３に示されたタイプの帽子や、特開２００３−３３１６号公報（特許文献１）のサイズ調整可能な帽子がよく知られている。図３に示された帽子（１１）は、帽体であるクラウン（２）とクラウン（２）の前側に備えられたツバであるブリム（３）から構成されている。そしてクラウンの一部をメッシュ生地とすることで通気性を向上させて蒸れを低減することができるものである。また、特許文献１に示されたサイズ調整可能な帽子は、運動時や風により脱げ落ちることがなく、サイズ調節用ベルトを伸縮性の弾性織布にて形成するとともに、該帽子本体内周下縁に沿ってゴム弾性織布製のスエットバンドを縫着したことで頭部形状にフィットするようにしたものである。
【先行技術文献】
【特許文献】
【０００３】
【特許文献１】特開２００３−３３１６号公報
【考案の概要】
【考案が解決しようとする課題】
【０００４】  ところで、特許文献１に示されたサイズ調整可能な帽子は、伸縮性やゴム弾性を有するベルトなどによって頭部形状にフィットするようにしたものである。また、図３に示されるタイプの帽子は、クラウンの後頭部側の下方に備えた頭囲調整ベルトで頭囲にフィットするように調整するが、何れの帽子も実際には、頭囲、頭部の大きさ、耳の位置など頭部のサイズは各人各様であって最大公約数的なサイズ設計しかできないのが実情である。このため、頭囲調整ベルトによって頭囲だけを合わせることは可能であっても、頭部のサイズが小さい場合は、クラウンの側頭部の下辺が耳の付根に当たってしまい、浅く浮いた状態でしか着用することしかできず、フィットしない、耳の付根が痛い、テンプルの太いサングラスがかけづらいなどといった不都合が生じている。【０００５】  図４は、頭部における耳の平均的な位置を示す図である。図中Ａ−Ａ破線は、耳の上部の付根と目尻が水平方向において略一致していることを示している。これは頭部における耳の平均的な位置を示すもので、必ずしも耳の上部の付根と目尻のラインが一致するものではなく、耳の上部の付根が目尻よりも上方に位置していたり下方に位置していたり各人各様である。また、図中Ｂのサイズは、Ａ−Ａ破線よりも上方の頭部の大きさを示すもので、図示しないが正面から見た頭部の幅も各人各様である。このため頭部のＢのサイズが小さい場合、前述したクラウンの側頭部の下辺が耳の上部の付根に当たってしまうといった不都合が生じる。【０００６】  図５乃至図７は、図３に示される従来の帽子（１１）を着用した状態を示す図である。また、図５乃至図７の頭部の図においては、図４におけるＢのサイズを標準、大きめ、小さめと変化させて着用した状態の違いを示した。【０００７】  図５は、Ｂのサイズが標準の頭部に帽子（１１）を着用した状態を示している。頭部に着用した帽子（１１）は、クラウン（２）の前頭部から後頭部にかけて特にきつくも緩くもなく着用され、さらにクラウン（２）の側頭部の下辺が耳の上部の付根にかかることなく何ら問題なくフィットして着用している。【０００８】  図６は、Ｂのサイズが大きめの頭部に帽子（１１）を着用した状態を示している。頭部に着用した帽子（１１）は、図５と比較してＢのサイズが大きめなので、帽子（１１）自体が上方に位置することと、クラウン（２）の側頭部の下辺と耳の上部の付根とがかなり離れ気味になるが、何ら問題なくフィットして着用している。【０００９】  図７は、Ｂのサイズが小さめの頭部に帽子（１１）を着用した状態を示している。前述したように帽子（１１）自体がクラウン（２）の側頭部の下辺が耳の上部の付根に当たっている状態である。このため、耳の付根に痛みや違和感が生じ、浅く浮いた状態でしか着用できないのでフィットせず風や運動で脱げ落ちやすい、テンプルの太いサングラスがかけづらいなどといった様々な不都合が生じる。【００１０】  そこで本考案は、上記課題を解消し、クラウンの側頭部の下辺が耳の上部の付根に当たることがなく、様々なサイズ（頭囲、頭部の大きさ、耳の位置など）の頭部にフィットする帽子を提供することを目的とするものである。
【課題を解決するための手段】
【００１１】  かかる課題を解決するために、本考案の請求項１によれば、クラウンとクラウンの前側の下辺に備えられたブリムとクラウンの後頭部側の下方に備えた頭囲調整ベルトとからなる帽子において、
クラウンの左右の両側頭部側の下辺部分に、カーブ部がクラウンの上方に向かって抉るように形成され、帽子本体を頭部に着用したときに耳の上部の付根とカーブ部との間にゆとりが生じるように構成したことで解決される。【００１２】  かかる課題を解決するために、本考案の請求項２によれば、クラウンは、その全体あるいは一部が通気性を有するメッシュ生地で形成されていることで解決される。
【考案の効果】
【００１３】  クラウンとクラウンの前側の下辺に備えられたブリムとクラウンの後頭部側の下方に備えた頭囲調整ベルトとからなる帽子において、クラウンの左右の両側頭部側の下辺部分に、カーブ部がクラウンの上方に向かって抉るように形成され、帽子本体を頭部に着用したときに耳の上部の付根とカーブ部との間にゆとりが生じるように構成したので、小さいサイズの頭部に帽子本体を着用したときであっても、カーブ部と耳の上部の付根との間にゆとりが生じてクラウンの左右の両側頭部側の下辺部分が耳の上部の付根に当たることなく、様々なサイズ（頭囲、頭部の大きさ、耳の位置など）の頭部にフィットすることが可能となった。
【図面の簡単な説明】
【００１４】
【図１】本考案の帽子本体の説明図である。
【図２】帽子本体の着用状態を示す図である。
【図３】従来の帽子を示す図である。
【図４】頭部における耳の平均的な位置を示す図である。
【図５】従来の帽子の着用状態を示す図である。
【図６】従来の帽子の着用状態を示す図である。
【図７】従来の帽子の着用状態を示す図である。
【考案を実施するための形態】
【００１５】  本考案について、図面を参照して詳細に説明する。図１は本考案の帽子本体の説明図である。本考案の帽子の本体（１）は、頭部に被るクラウン（２）、クラウン（２）の前側の下辺に備えられたツバであるブリム（３）、クラウン（２）の後頭部側の下方に備えた頭囲調整ベルト（４）から構成されている。
【００１６】  クラウン（２）は、図１においては、側頭部から後頭部にかけて通気性を有するようにメッシュ生地で形成されている。なお、図示しないがクラウン（２）全体がメッシュ生地で形成されていても良い。また、クラウン（２）の左右の両側頭部側の下辺部分、すなわち耳の上部に位置する部分には、カーブ部（５）がクラウン（２）の上方に向かって抉るように形成され、本体（１）を頭部に着用したときに耳の上部の付根とカーブ部（５）との間にゆとりが生じ、クラウン（２）の側頭部側の底辺が耳の上部の付根に当たることがなくなる。
【００１７】  図２は、帽子本体（１）の着用状態を示す図である。また、図２においては、図７に示されたＢのサイズが小さめの頭部に本体（１）を着用した状態を示し、図７における不都合を解消した状態を明確にした。
【００１８】  前述したように、本体（１）のクラウン（２）の左右の側頭部側の下辺部分に形成されたカーブ部（５）は、クラウン（２）の上方に向かって抉るように形成されているので、図２に示されるようにＢのサイズが小さめの頭部に本体（１）を着用したとき、カーブ部（５）と耳の上部の付根との間にゆとりが生じて本体（１）を普通に着用することが可能となる。これによって、図７における帽子（１１）の着用時の不都合である耳の付根の痛みや違和感、浅く浮いた状態でしか着用できないのでフィットせず風や運動で脱げ落ちやすい、テンプルの太いサングラスがかけづらいなどといったことを解消するとともに様々なサイズ（頭囲、頭部の大きさ、耳の位置など）の頭部にフィットすることが可能となった。
【符号の説明】
【００１９】１        本体
２        クラウン
３        ブリム
４        頭周調整ベルト
５        カーブ部
【図１】
0003214083.tif 000003
【図２】
0003214083.tif 000004
【図３】
0003214083.tif 000005
【図４】
0003214083.tif 000006
【図５】
0003214083.tif 000007
【図６】
0003214083.tif 000008
【図７】
0003214083.tif 000009